(57)【要約】【課題】反射光の歪みを低減し、受光素子による反射光のセンシング精度を向上することができる反射型光センサ及びそれを用いた反射型エンコーダを提供する。【解決手段】所定位置にある対象物のセンシング対象面に対して光を出射する光源と、前記センシング対象面で反射した反射光をセンシングする受光素子と、前記センシング対象面と前記受光素子との間に位置し、表面から入射する前記反射光を前記受光素子に導く入射レンズとを備える反射型光センサであって、前記光源と前記受光素子とを結ぶ方向をｘ方向として、前記センシング対象面において、前記ｘ方向から視て同じ位置であって、かつ前記ｘ方向とは別の方向から視て異なる複数の位置で反射した反射光が、前記受光素子の受光面において、前記ｘ方向から視て同じ位置であって、かつ前記ｘ方向とは別の方向から視て異なる位置に導かれるように前記入射レンズの表面が形成されている反射型光センサ及びそれを用いた反射型エンコーダである。【選択図】図４
2019211312.tif 000002
【特許請求の範囲】
【請求項１】
所定位置にある対象物のセンシング対象面に対して光を出射する光源と、
前記センシング対象面で反射した反射光をセンシングする受光素子と、
前記センシング対象面と前記受光素子との間に位置し、表面から入射する前記反射光を前記受光素子に導く入射レンズと
を備える反射型光センサであって、
前記光源と前記受光素子とを結ぶ方向をｘ方向として、前記センシング対象面において、前記ｘ方向から視て同じ位置であって、かつ前記ｘ方向とは別の方向から視て異なる複数の位置で反射した反射光が、前記受光素子の受光面において、前記ｘ方向から視て同じ位置であって、かつ前記ｘ方向とは別の方向から視て異なる位置に導かれるように前記入射レンズの表面が形成されている反射型光センサ。
【請求項２】
前記光源から出射された光の主光線の光路に平行な方向をｚ方向として、前記ｚ方向から視た前記入射レンズの表面の曲率半径が、前記ｘ方向及び前記ｚ方向に垂直なｙ方向から視た前記入射レンズの表面の曲率半径よりも大きい、請求項１記載の反射型光センサ。
【請求項３】
前記ｘ方向と垂直な断面における前記入射レンズの表面形状が、前記光源側から前記受光素子側に向かうにつれて平坦になるように形成されている、請求項２記載の反射型光センサ。
【請求項４】
前記光源及び前記受光素子を表面に搭載する基板と、
前記基板の表面に設けられて、前記光源と前記受光素子とを封止する透光部材と
を更に備え、
前記透光部材の表面には、前記光源から出た光を出射する出射面と、前記センシング対象面で反射した反射光が入射する入射面とが形成されており、当該入射面に前記入射レンズが形成されている、請求項１〜３のいずれか記載の反射型光センサ。
【請求項５】
請求項１〜４のいずれか記載の反射型光センサと、
前記対象物であり、光を反射しやすい反射領域と、光を反射しにくい非反射領域とが交互に並ぶ光反射パターンが前記センシング対象面に形成されたエンコーダスケールと
を備え、
前記エンコーダスケールは、前記光源から出射された光の主光線の光路を含め面を、前記反射領域と前記非反射領域が交互に通過するように直線又は回転運動し、
前記光源が前記エンコーダスケールに対して光を出射し、前記受光素子が前記反射領域で反射した反射光をセンシングする、反射型エンコーダ。
【請求項６】
前記受光素子は分割された複数の受光面を有し、
前記複数の受光面が、前記ｘ方向から視て、前記主光線の光路に垂直な方向に沿って設けられている、請求項５記載の反射型エンコーダ。
【請求項７】
前記受光素子を複数備え、
前記複数の受光素子が、前記ｘ方向から視て、前記主光線の光路に垂直な方向に沿って設けられている、請求項５記載の反射型エンコーダ。
【発明の詳細な説明】
【技術分野】
【０００１】
本発明は、反射型光センサ及びそれを用いた反射型エンコーダに関する。
【背景技術】
【０００２】
従来、例えば光学エンコーダ等に用いられる反射型光センサとして、特許文献１に開示されているものが知られている。この反射型光センサは、所定位置にある対象物に対して光源から光を出射するともに、この対象物で反射した反射光を受光素子でセンシングできるようになっている。対象物には、光が反射しやすい反射部と光が反射しにくい非反射部からなる光反射パターンが形成されている。反射型光センサは、受光素子が反射部からの反射光をセンシングすることで、光反射パターンを読み取り、種々の情報を得ることができるようになっている。
【０００３】
ところで上記したような反射型光センサには、スケール等の対象物からの反射光を効率よく受光素子に導けるように、受光素子と対象物との間に球面状の入射レンズが設けられることが多い。しかしながら、このような球面状の入射レンズが設けられた反射型光センサでは、対象物からの反射光が入射レンズに入射する際の入射位置によって様々な角度で屈折してしまうことにより、入射位置が光源から受光素子に向かうにつれて、反射光の光路が光源から受光素子を視て横方向にずれてしまうことがある。そのため、反射部からの反射光は受光素子上に歪んで到達してしまい、受光素子による反射光のセンシング精度が低下してしまうという問題があった。
【先行技術文献】
【特許文献】
【０００４】
【特許文献１】特開２００６−０３８５７２号公報
【発明の概要】
【発明が解決しようとする課題】
【０００５】
本発明は、上記した問題に鑑みてなされたものであり、反射光の歪みを低減し、受光素子による反射光のセンシング精度を向上することができる反射型光センサ及びそれを用いた反射型エンコーダを提供することを目的とする。
【課題を解決するための手段】
【０００６】
すなわち、本発明に係る反射型光センサは、所定位置にある対象物のセンシング対象面に対して光を出射する光源と、前記センシング対象面で反射した反射光をセンシングする受光素子と、前記センシング対象面と前記受光素子との間に位置し、表面から入射する前記反射光を前記受光素子に導く入射レンズとを備える反射型光センサであって、前記光源と前記受光素子とを結ぶ方向をｘ方向として、前記センシング対象面において、前記ｘ方向から視て同じ位置であって、かつ前記ｘ方向とは別の方向から視て異なる複数の位置で反射した反射光が、前記受光素子の受光面において、前記ｘ方向から視て同じ位置であって、かつ前記ｘ方向とは別の方向から視て異なる位置に導かれるように前記入射レンズの表面が形成されていることを特徴とする。
【０００７】
入射レンズの表面がこのように形成されていれば、例えばセンシング対象面において、光を反射しやすい反射領域がｘ方向に沿って真っすぐ伸びている場合、この反射領域からの反射光を、横方向に歪ませることなくｘ方向に沿って真っすぐなまま受光素子に導くことができるので、受光素子による反射光のセンシングの精度を向上することができる。
【０００８】
前記入射レンズの態様として、前記光源から出射された光の主光線の光路に平行な方向をｚ方向として、前記ｚ方向から視た入射レンズの表面の曲率半径が、前記ｘ方向及び前記ｚ方向に垂直なｙ方向から視た入射レンズの表面の曲率半径よりも大きいものを挙げることができる。
【０００９】
前記入射レンズのより具体的な態様として、前記ｘ方向と垂直な断面における入射レンズの表面形状が、前記光源側から前記受光素子側に向かうにつれて平坦になるように形成されているものを挙げることができる。
【００１０】
前記反射型光センサの態様として、前記光源及び前記受光素子を表面に搭載する基板と、前記基板の表面に設けられて、前記光源と前記受光素子とを封止する透光部材とを更に備え、前記透光部材の表面には、前記光源から出た光を出射する出射面と、前記センシング対象面で反射した反射光が入射する入射面とが形成されており、当該入射面に前記入射レンズが形成されているものを挙げることができる。
【００１１】
また本発明の反射型エンコーダは、前記した反射型光センサと、前記対象物であって、光を反射しやすい反射領域と、光を反射しにくい非反射領域とが交互に並ぶ光反射パターンが前記センシング対象面に形成されたエンコーダスケールとを備え、前記エンコーダスケールは、前記光源から出射された光の主光線の光路を含め面を、前記反射領域と前記非反射領域が交互に通過するように直線又は回転運動し、前記光源が前記エンコーダスケールに対して光を出射し、前記受光素子が前記反射領域で反射した反射光をセンシングするものである。
このような反射型エンコーダであれば、前記した反射型光センサと同様の作用効果を得ることができる。
【００１２】
前記した受光素子のセンシング精度向上の効果は、反射型エンコーダにおいて前記受光素子が複数の受光面を有し、前記複数の受光面が、前記ｘ方向から視て、前記主光線の光路に垂直な方向に沿って設けられている場合や、反射型エンコーダが受光素子を複数備え、この複数の受光素子が、前記ｘ方向から視て、前記主光線の光路に垂直な方向に沿って設けられている場合に、顕著に表れる。
このようなものであれば、受光素子が複数の受光面を有する場合や、複数の受光素子を備える場合であっても、センシング対象面からの反射光が歪むことなく各受光面又は各受光素子に到達するので、複数の受光面又は複数の受光素子のいずれにおいてもセンシング精度が向上する。
【発明の効果】
【００１３】
このようにした本発明によれば、反射光の歪みを低減し、受光素子による反射光のセンシング精度を向上することができる反射型光センサ及び反射型エンコーダを提供することができる。
【図面の簡単な説明】
【００１４】
【図１】本実施形態の反射型光センサを用いた反射型エンコーダの構成を模式的に示す側面図。
【図２】同実施形態の反射型光センサを用いた反射型エンコーダの構成を模式的に示す斜視図。
【図３】同実施形態の反射型光センサの構成を模式的に示すＡ−Ａ’線断面図。
【図４】同実施形態の反射型光センサの構成を模式的に示す平面図。
【図５】同実施形態の反射型光センサにおける、光源から出射された光の光路を説明する図。
【図６】同実施形態の反射型光センサにおける、光源から出射された光の光路を説明する図。
【図７】同実施形態の反射型光センサの構成を模式的に示すＢ−Ｂ’線断面図、Ｃ−Ｃ’線断面図及びＤ−Ｄ’線断面図。
【発明を実施するための形態】
【００１５】
以下に、本発明の一実施形態に係る反射型エンコーダについて図面を参照して説明する。
なお、各図面が示す部材の大きさ、位置関係、光の光路等は、説明を明確にするため、誇張していることがある。
【００１６】
本実施形態に係る反射型エンコーダ１００は、モータに取り付けられて、当該モータの回転数、回転角度、回転方向等を検出する、インクリメンタル形のロータリーエンコーダである。図１に示すように、反射型エンコーダ１００は、図示しないモータの回転軸Ｍと同軸回転可能に接続された円板状のスケール２（本発明の「対象物」に相当）と、スケール２の裏面２１に対して光を出射するとともに、裏面２１からの反射光をセンシングする反射型光センサ１とを備えている。
【００１７】
図２に示すように、センシング対象面であるスケール２の裏面２１には、所定の光反射パターンが形成されている。この光反射パターンは、光を反射しやすい反射領域２１１と、光を反射しにくい非反射領域（具体的にはスリット）２１２とが、円周方向に沿って交互に並んで形成されたものである。反射型光センサ１は、モータの回転軸Ｍと共に回転するスケール２の光反射パターンに光を出射し、反射領域２１１で反射した反射光をセンシングすることで、モータの回転数、回転角度、回転方向等を検出することができるようになっている。
以下において、反射型光センサ１の構成を詳細に説明する。
【００１８】
図３に示すように、反射型光センサ１は、基板１１と、センシング対象面２１に対して光を出射する光源１２と、反射領域２１１で反射した反射光をセンシングする受光素子１３と、光源１２と受光素子１３とを封止する透光部材１４とを備えている。ここで、光源１２と受光素子１３はともに、基板１１の表面１１１上の異なる位置に搭載されている。
以下において、表面１１１と平行であって、かつ光源１２と受光素子１３とを結ぶ方向をｘ方向とし、表面１１１と平行であって、かつｘ方向と垂直な方向をｙ方向とし、表面１１１と垂直な方向をｚ方向として説明する。
【００１９】
基板１１は、ｚ方向から視て概略矩形板状のものであり、例えば紙フェノール、ガラスコンポジット、ガラスエポキシ等の材料から成るものである。ここでは、表面１１１が、スケール２の裏面２１と平行になるように構成されている。
【００２０】
光源１２は、具体的には発光ダイオードである。光源１２は、出射した光の主光線の光路がｚ方向と平行になるように、表面１１１上に１つ搭載されている。なお、ここでいう光源１２が出射した光の主光線とは、光源１２から出射された光のうち、透光部材１４の内側を通過する光における主光線を意味する。
【００２１】
受光素子１３は、光起電力効果を利用するものであり、具体的にはフォトダイオードである。受光素子１３は、反射光を受光する受光面を有しており、この受光面で受光した光量に比例した信号を出力するように構成されている。受光素子１３は、その受光面がｚ方向と直交するように表面１１１上に搭載されており、ｚ方向からの反射光を受光できるように構成されている。
【００２２】
本実施形態の反射型光センサ１は、複数個（具体的には２つ）の受光素子１３ａ及び１３ｂ備えており、これらがｘ方向に沿って、光源１２側から順に設けられている。ｘ方向における光源１２に近い位置にある受光素子１３ａは分割された複数の受光面を有しており、この複数の受光面がそれぞれ別の信号を出力するようになっている（Ａ相及びＢ相）。この複数の受光面は、ｙ方向に沿って並んで設けられている。
ｘ方向における光源１２から遠い位置にある受光素子１３ｂは、互いに分割された複数（具体的には３つ）の受光面を有しており、スケール２が１回転する毎に信号を出力するようになっている（Ｚ相）。
【００２３】
透光部材１４は、光源１２と受光素子１３を覆うように、基板１１の表面１１１に設けられている。透光部材１４は、エポキシ樹脂等の透光性を有する樹脂材料からなる樹脂成型物であり、光源１２から出射された光や、反射領域２１１で反射した反射光が、その内部を透過できるようになっている。
【００２４】
図３及び図４に示すように、透光部材１４は基板１１の表面１１１上に設けられており、センシング対象面２１に対向するその表面には、光源１２から出た光を出射する出射面１４１と、反射領域２１１で反射した反射光が入射する入射面１４３とが形成されている。出射面１４１と入射面１４３はいずれも、ｘ方向及びｙ方向と平行になるように形成されており、互いに平行となっている。
【００２５】
出射面１４１には、光源１２から出射された光をセンシング対象面２１に効率的に導くよう、１つの出射レンズ１４２が形成されている。出射レンズ１４２は、センシング対象面２１に向かって膨出するように形成された軸対称レンズであり、より具体的には球面レンズである。出射レンズ１４２は、出射面１４１において、光源１２が出射した光の主光線と交わるように形成されている。
【００２６】
入射面１４３には、反射領域２１１で反射した反射光を受光素子１３に導く入射レンズ１４４が形成されている。入射レンズ１４４は、受光素子１３とセンシング対象面２１との間に位置するように形成されており、反射光を効率よく受光素子１３に導くことができるようになっている。入射レンズ１４４の表面には、反射光を透過させる反射光透過面１４５が形成されている。この反射光透過面１４５は、センシング対象面２１に面するとともに、光源１２側を向くように曲面状に膨出するように形成されている。
【００２７】
なお、本実施形態の光センサ１の入射面１４３には、ｘ方向に沿って複数（具体的には２つ）の入射レンズ１４４ａ及び１４４ｂが形成されている。入射レンズ１４４ａ及び１４４ｂはそれぞれ、複数の受光素子１３ａ及び１３ｂに対応しており、入射レンズ１４４ａは受光素子１３ａに反射光を導き、入射レンズ１４４ｂは受光素子１３ｂに反射光を導くようになっている。ここでは、複数の入射レンズ１４４ａ、１４４ｂは同様の形状になるように形成されている。
【００２８】
しかして、本実施形態の反射型光センサ１の入射レンズ１４４は、センシング対象面２１において、ｘ方向から視て同じ位置であって、かつｘ方向とは別の方向から視て異なる複数の位置で反射した反射光が、受光素子１３の受光面において、ｘ方向から視て同じ位置であって、かつｘ方向とは別の方向から視て異なる位置に導かれるように、その表面が形成されている。
以下において、入射レンズ１４４の構成について、入射レンズ１４４ａを代表にして説明するが、当該説明は入射レンズ１４４ｂについても適用できる。
【００２９】
図５及び図６を参照して、光源１２から出射された光の光路について説明する。図５及び図６は、センシング対象面２１において、ｘ方向から視て同じ位置であって、ｘ方向とは異なる方向（ここではｙ方向）から視て異なる位置で反射する３つの光線Ｌ１、Ｌ２、Ｌ３の光路を模式的に示している。なお、ここでは、説明を容易にするため受光素子１３ａを省略している。また、反射光が基板１１の表面１１１においてｙ方向から視て異なる位置であるものの、ｘ方向から視て同じ位置に導かれる場合にも、反射光が受光素子１３の受光面において、ｙ方向から視て異なる位置であるものの、ｘ方向から視て同じ位置に導かれるとみなすことができる。
【００３０】
図５は、光源１２を通り、かつｙ方向に垂直な断面を示す図である。図５に示すように、光線Ｌ１、Ｌ２、Ｌ３は、センシング対象面２１において、それぞれ反射点Ｈ１、Ｈ２、Ｈ３で反射し、入射レンズ１４４ａの表面において、それぞれ入射点Ｐ１、Ｐ２、Ｐ３から入射する。反射点Ｈ１、Ｈ２、Ｈ３は、ｘ方向に沿って、光源１２側から受光素子１３ａ側に向かってこの順に並んでいる。
【００３１】
図６は、ｘ方向と垂直な断面を示す図であり、光源１２側から受光素子１３ａ側を視た図である。ここでは、入射点Ｐ１を含む入射レンズ１４４ａの表面Ｓ１を通る断面と、入射点Ｐ２を含む入射レンズ１４４ａの表面Ｓ２を通る断面と、入射点Ｐ３を含む入射レンズ１４４ａの表面Ｓ３を通る断面とを重ねて図示している。なおここでは、説明を容易にするため出射レンズ１４２を省略している。
【００３２】
図６に示すように、反射点Ｈ１、Ｈ２、Ｈ３はｘ方向から視ると同じ位置である。本実施形態の光センサ１では、このような反射点Ｈ１、Ｈ２、Ｈ３で反射した光線Ｌ１、Ｌ２、Ｌ３は、入射点Ｐ１、Ｐ２、Ｐ３からそれぞれ異なる入射角で入射して、基板１１の表面１１１において、ｙ方向から視て異なる位置であるものの、ｘ方向から視て同じ位置に導かれるようになっている。
【００３３】
次にこのような入射レンズ１４４ａの構造について説明する。
入射レンズ１４４ａは非球面レンズであり、具体的には、反射光透過面１４５がトロイダル面を成すトロイダルレンズである。その形状をより具体的に説明すると、入射レンズ１４４ａの反射光透過面１４５ａは、図３及び図４に示すように、ｚ方向から視て所定の第１曲率半径Ｒ１を有する曲線形状をなすとともに、ｙ方向から視て、第１曲率半径Ｒ１と異なる所定の第２曲率半径Ｒ２を有する曲線形状をなしている。ここでは、第１曲率半径Ｒ１が第２曲率半径Ｒ２よりも大きくなるように形成されている。
【００３４】
図７は、入射レンズ１４４ａにおけるｘ方向と垂直な断面を示す図であって、ｘ方向における位置が異なる３つの断面を示す図である。図７に示すように、本実施形態の入射レンズ１４４ａは、ｘ方向と垂直な断面における表面形状が、光源１２側から受光素子１３ａ側に向かうにつれて、加速度的に平坦になるように形成されている。ここで、「加速度的に平坦になる」とは、断面の表面形状が平坦になっていく度合（又は変化率）が、球面レンズである場合に比べて大きいことを意味する。また、当該一断面における入射レンズ１４４ａの表面は、その曲率が一様ではない。具体的には、ｙ方向に沿って、受光素子１３ａに近づくほど曲率が小さくなるように形成されている。すなわち、受光素子１３ａに近づくほど平坦になるように形成されている。
【００３５】
入射レンズ１４４ａのｘ方向と垂直な断面における表面形状がこのように、光源１２側から受光素子１３ａ側に向かうにつれて、加速度的に平坦になるように形成されていることにより、入射レンズ１４４ａにおける光源１２に近い側から入射した反射光の屈折角よりも、光源１２から遠い側から入射した反射光の屈折角を小さくできる。これにより、センシング対象面２１においてｘ方向から視て同じ位置であって、かつ別方向から視て異なる複数の位置で反射した反射光について、センシング対象面２１のより受光素子１３ａ側で反射した反射光の基板１１上での到達位置を、センシング対象面２１のより光源１２側で反射した反射光の基板１１上での到達位置に近づけることができる。これにより反射光の歪みを低減することができる。
【００３６】
また、本実施形態の反射型光センサ１は、図３及び図４に示すように、透光部材１４の表面において出射面１４１と入射面１４３との間に段部１４６が形成されており、出射面１４１が入射面１４３よりも低くなっている。すなわち、基板１１と出射面１４１との間のｚ方向に沿った距離が、基板１１と入射面１４３との間のｚ方向に沿った距離よりも短くなるように構成されている。段部１４６はｙ方向に沿って延びるように形成されている。段部１４６のｙ方向に沿った長さは、出射面１４１及び入射面１４３のｙ方向に沿った長さと同じになるように形成されている。すなわち、出射面１４１と入射面１４３とは、段部１４６によって互いに分離されている。
【００３７】
段部１４６は、出射面１４１と入射面１４３との間に形成された面からなるものである。より具体的には、ｘ方向に沿って光源１２側から受光素子１３側に向かうにつれて、基板１１からのｚ方向に沿った距離が長くなる傾斜面からなる。段部１４６は、出射面１４１との境界が仮想的な面Ｓｖよりも受光素子１３側に位置するように形成されている。この仮想的な面Ｓｖは、光源１２と受光素子１３（より具体的には、光源に近い位置にある受光素子１３ａ）から等距離にある仮想的な面である。ここでは、段部１４６は、入射面１４３との境界が、仮想的な面Ｓｖよりも受光素子１３ａ側に位置するように形成されている。すなわち、入射面１４３は仮想的な面Ｓｖよりも受光素子１１３側に形成されている。
【００３８】
このように構成された本実施形態の反射型光センサ１によれば、センシング対象面２１において、ｘ方向から視て同じ位置であって、かつｘ方向とは別の方向から視て異なる複数の位置で反射した反射光が、受光素子１３の受光面において、ｘ方向から視て同じ位置であって、かつｘ方向とは別の方向から視て異なる位置に導かれるように入射レンズ１４４の表面が形成されているので、センシング対象面２１の反射領域２１１からの反射光を、ｙ方向に歪ませることなく受光素子１３に導くことができる。そのため、受光素子１３による反射光のセンシングの精度を向上することができる。
【００３９】
なお、本発明は前記実施形態に限られるものではない。
【００４０】
前記実施形態では、入射レンズ１４４はその表面がトロイダル面をなすものであったが、これに限定されない。センシング対象面２１において、ｘ方向から視て同じ位置であって、かつｘ方向とは別の方向から視て異なる複数の位置で反射した反射光が、受光素子１３の受光面において、ｘ方向から視て同じ位置であって、かつｘ方向とは別の方向から視て異なる位置に導かれるように、その表面が形成されてものであれば、他の任意の形状のものであってもよい。
【００４１】
前記実施形態では、透光部材１４に形成された段部１４６は傾斜面であったが、これに限定されない。他の実施形態では、例えば、基板１１の表面に垂直な壁状に形成されていてもよい。
【００４２】
前記実施形態では、段部１４６は仮想的な面Ｓｖよりも受光素子１３側に形成されていたが、これに限らず仮想的な面Ｓｖよりも光源１２側に形成されてよく、また仮想的な面Ｓｖに跨って形成されてもよい。
【００４３】
前記実施形態では、ｙ方向において、段部１４６の長さは出射面１４１及び入射面１４３の長さと同じであったが、これに限定されない。他の実施形態では、ｙ方向において、段部１４６の長さは出射面１４１及び入射面１４３の長さよりも短くてもよい。これにより、出射面１４１と入射面１４３とが、部分的に互いに分離されていてもよい。この場合、段部１４６は、光源１２と受光素子１３ａとを結ぶ仮想的な線上に形成されていることが好ましい。
【００４４】
前記実施形態において反射型光センサ１は、スケール２は、その半径方向がｘ方向に沿うように設けられていたがこれに限定されない。他の実施形態では、スケール２は、その周方向がｘ方向に沿うように設けられてもよい。
【００４５】
前記実施形態の反射型光センサ１は、ロータリ―エンコーダ１００に適用されるものであったが、これに限らず、スケール２が直線板状に形成されたリニアエンコーダに適用されてもよい。また、インクリメンタル型に限らず、アブソリュート型のエンコーダに適用されてもよい。また、光学エンコーダに適用されるものに限らず、例えばバーコードリーダ用の光センサ、コピー機の原稿感知センサ、近接センサ、人感センサ等に適用されてもよい。
【００４６】
前記実施形態の反射型光センサ１は入射レンズ１４４と受光素子１３とを２つずつ有するものであったが、これに限定されない。他の実施形態では、入射レンズ１４４と受光素子１３とを１つずつ有していてもよい。また、入射レンズ１４４の数と受光素子１３の数とが同じでなく、異なっていてもよい。
【００４７】
前記実施形態では、入射面１４３が出射面１４１よりも高くなるように段部１４６が形成されていたが、これに限らない。他の実施形態では、入射面１４３が出射面１４１よりも低くなるように段部１４６が形成されていてもよい。また、出射面１４１と入射面１４３との間に段部１４６が形成されておらず、出射面１４１と入射面１４３とが同一の高さに形成されていてもよい。
【００４８】
前記実施形態の反射型光センサ１は、出射レンズ１４２を有するものであったが、これに限定されない。他の実施形態では、出射レンズ１４２を有さず、入射レンズ１４４のみを有していてもよい。
【００４９】
その他、本発明は前記実施形態に限られず、その趣旨を逸脱しない範囲で種々の変形が可能であるのは言うまでもない。
【符号の説明】
【００５０】
１００  ・・・反射型エンコーダ
１        ・・・反射型光センサ
１２      ・・・光源
１３      ・・・受光素子
１４４  ・・・入射レンズ
２      ・・・スケール（対象物）
２１    ・・・センシング対象面
【図１】
2019211312.tif 000003
【図２】
2019211312.tif 000004
【図３】
2019211312.tif 000005
【図４】
2019211312.tif 000006
【図５】
2019211312.tif 000007
【図６】
2019211312.tif 000008
【図７】
2019211312.tif 000009